(57)【要約】【課題】他の電力源を選択できる電力蓄電設備改良構造を提供すること。【解決手段】本考案に係る電力蓄電設備の改良構造は、主に、少なくとも２つの電力源及び無停電電源設備を含み、該少なくとも２つの電力源は、市電コンセント、ガソリン、太陽エネルギー、風力または電池（燃料電池）発電機などの何れか一つであり、該無停電電源設備には電力源セレクタが内蔵され、該無停電電源設備の出力端が電気設備に接続し、該無停電電源設備の入力端が、内蔵した電力源セレクタを介して少なくとも２つの電力源に接続することによって、市電コンセントが電力供給を停止すると、該無停電電源設備が電源供給者になるとともに、該内蔵した電力源セレクタが第２電力源を選んで、電気設備を市電の電力供給が回復するまでに継続的に稼働させることができる。【選択図】図１
0003138132.tif 000002
【実用新案登録請求の範囲】
【請求項１】
一方の電力源が市電コンセントである少なくとも２つの電力源と、
電力源セレクタが内蔵され、出力端が電気設備に接続し、入力端が内蔵した電力源セレクタを介して少なくとも２つの電力源に接続する無停電電源設備とを含み、
市電コンセントが電力供給を停止すると、前記無停電電源設備が電源供給者になるとともに、前記内蔵した電力源セレクタが他の電力源を選んで継続して電力を供給する、
電力蓄電設備の改良構造。
【請求項２】
前記少なくとも２つの電力源は、直流電源または交流電源を含むことを特徴とする、請求項１に記載の電力蓄電設備の改良構造。
【請求項３】
前記少なくとも２つの電力源は、ガソリン発電機、太陽エネルギー発電機、風力発電機、人力発電機または燃料電池発電機の何れか一つであることを特徴とする、請求項１に記載の電力蓄電設備の改良構造。
【請求項４】
前記無停電電源設備に内蔵した電力源セレクタは、ソフトウェアであることを特徴とする、請求項１に記載の電力蓄電設備の改良構造。
【請求項５】
前記無停電電源設備に内蔵した電力源セレクタは、継電器、磁気ばねスイッチまたはモータの何れか一つであることを特徴とする、請求項１に記載の電力蓄電設備の改良構造。
【考案の詳細な説明】
【技術分野】
【０００１】
本考案は、他の電力源を選択できる電力蓄電設備改良構造に係わり、特に、電器や精密機械或は類似構造に適応するものである。
【背景技術】
【０００２】
事前警報のない停電事件は、それぞれの産業にとってともに損失になることが可能で、特に、特定の事業または設備に対し図り切れない損失が与えられ、パソコン設備とすれば、ショットカットしないまま事前警報のない停電に遭うと、処理中のデータが全て失ってしまう極めて厳しい結果となり、このような案外事件が発生されることを防止するために、市場には様々な無停電電源システム（Ｕｎｉｎｔｅｒｒｕｐｔｉｂｌｅ  Ｐｏｗｅｒ  Ｓｙｓｔｅｍ：ＵＰＳ）が既に出回られ、電力が中止される時に、直ちに電源補助としてパソコンに供給することによって、十分な操作時間を与え格納動作を完成させ、さらにパソコンの電源を切って、電力回復までを待ってからパソコンを再び操作する。
【０００３】
しかしながら、前記従来のＵＰＳシステムは、パソコンに電源を与え継続して使用できるが、ＵＰＳシステムが提供する電源は、極短い時間で、市電が電力を供給する際に蓄電した電量のみを放出するため、十分な電力を供給してパソコンを継続して稼働させていくことはできず、市電電力の供給が回復までを待ったなければ、パソコンが継続して稼働できない。しかし、現在、市場に販売されているＵＰＳシステムが蓄電した電量が、市電の補充のみで、エネルギーが乏しい現代社会では、このような蓄電方式は明らかに経済的ではない。
【０００４】
これを鑑み、本考案の創作者は、他の電力源を選択できる電力蓄電設備改良構造の提供を期し、専念な観察かつ研究をし、さらに学術理論の運用に合せ、合理的に設計且つ組み立てし消費者に提供することは、本考案が創作しようとする動機である。
【考案の開示】
【考案が解決しようとする課題】
【０００５】
本考案の主な目的は、他の電力源を選択できる電力蓄電設備改良構造を提供した。
【課題を解決するための手段】
【０００６】
前記目的を達成するために、本考案は、主に、少なくとも２つの電力源及び無停電電源設備を含み、該少なくとも２つの電力源は、市電コンセント、ガソリン、太陽エネルギー、風力または電池（燃料電池）発電機などの何れか一つであり、該無停電電源設備には電力源セレクタが内蔵され、該無停電電源設備の出力端が電気設備に接続し、該無停電電源設備の入力端が、内蔵した電力源セレクタを介して少なくとも２つの電力源に接続することによって、市電コンセントが電力供給を停止すると、該無停電電源設備が電源供給者になるとともに、該内蔵した電力源セレクタが第２電力源を選んで、電気設備を市電の電力供給が回復するまでに継続的に稼働させることができる。
【０００７】
すなわち、本願の第１考案は、一方の電力源が市電コンセントである少なくとも２つの電力源と、電力源セレクタが内蔵され、出力端が電気設備に接続し、入力端が内蔵した電力源セレクタを介して少なくとも２つの電力源に接続する無停電電源設備とを含み、市電コンセントが電力供給を停止すると、前記無停電電源設備が電源供給者になるとともに、前記内蔵した電力源セレクタが他の電力源を選んで継続して電力を供給する、電力蓄電設備の改良構造であることを要旨としている。
【０００８】
また、本願の第２考案は、前記少なくとも２つの電力源は、直流電源または交流電源を含むことを特徴とする、本願の第１考案に記載の電力蓄電設備の改良構造であることを要旨としている。
【０００９】
また、本願の第３考案は、前記少なくとも２つの電力源は、ガソリン発電機、太陽エネルギー発電機、風力発電機、人力発電機または燃料電池発電機の何れか一つであることを特徴とする、本願の第１考案に記載の電力蓄電設備の改良構造であることを要旨としている。
【００１０】
また、本願の第４考案は、前記無停電電源設備に内蔵した電力源セレクタは、ソフトウェアであることを特徴とする、本願の第１考案に記載の電力蓄電設備の改良構造であることを要旨としている。
【００１１】
また、本願の第５考案は、前記無停電電源設備に内蔵した電力源セレクタは、継電器、磁気ばねスイッチまたはモータの何れか一つであることを特徴とする、本願の第１考案に記載の電力蓄電設備の改良構造であることを要旨としている。
【考案の効果】
【００１２】
以上に分かるように、本考案は、以下のような実用利点を有する。
（１）該無停電電源設備は、内蔵した電力源セレクタにより電力を供給する少なくとも２つの電力源を適時に選ぶことによって、市電コンセントが電力供給を停止しかつ無停電電源設備内に蓄電した電量がそろそろ使い切る時に、該無停電電源設備２０に差し込まれる電器をなお稼働させることができる。
（２）該無停電電源設備は、内蔵した電力源セレクタを介して、該無停電電源設備が市電コンセント給電端以外の選択を持たせ、電器の作動が市電が電力供給か否かに影響されないようにする。
【考案を実施するための最良の形態】
【００１３】
本考案の他の特徴及び具体的な実施例は、後続の詳しく説明及び図示よりさらに了解できる。
【実施例】
【００１４】
図１を参照すると、本考案は、主に、少なくとも２つの電力源１０及び無停電電源設備２０を含み、該少なくとも２つの電力源１０は、直流電源及び交流電源、例えば、市電及び人力踏みの自転車発電機、ガソリン発電機、電池発電機、風力発電機、燃料電池発電機または太陽エネルギー発電機などの何れか一つの発電機を含み、該無停電電源設備２０には電力源セレクタ２０１が内蔵され、かつ該無停電電源設備２０が、内蔵した電力源セレクタ２０１を介して少なくとも２つの電力源１０に接続するとともに、該電力源セレクタ２０１がソフトウェアで電力源を選び、あるいは直接的にハードウェア、例えば、継電器、磁気ばねスイッチまたはモータで電力源を選ぶことができる。
【００１５】
前記組立した無停電電源設備２０は、その出力端には電気設備３０、例えばパソコンが差し込まれ、図２を参照すると、一般に市電コンセント１０１が正常に電力供給する場合、該無停電電源設備２０に内蔵した電力源セレクタ２０１はａ経路に従って市電コンセント１０１が供給する電力を使用し、該無停電電源設備２０が電気設備３０に電力を供給するとともに、市電コンセント１０１の電量を蓄電しても良いが、市電コンセント１０１が電力供給を停止する時に、該無停電電源設備２０が蓄電した電量を放出し、電気設備３０が正常に稼働させることができるが、該無停電電源設備２０が所定時間の電量を提供した後に、該市電コンセント１０１がなお電力供給を回復せず、該無停電電源設備２０内に蓄電した電量がそろそろ使い切る時に、該内蔵した電力源セレクタ２０１は、市電コンセント１０１のａ経路以外のｂ、ｃ、ｄ、ｅ、ｆ、…、ｘなどの経路に従って他の電力源を探し出し、該少なくとも２つの電力源１０は、市電コンセント１０１、自転車発電機１０２、ガソリン発電機１０３、電池発電機１０４、燃料電池発電機１０５、風力発電機１０６、太陽エネルギー発電機１０７、または他の発電機を設置して発電するため、市電コンセント１０１が電力供給しない時に、別に電池及びガソリンにより電池発電機１０４及びガソリン発電機１０３を発電させ、十分な電力を提供し無停電電源設備２０に蓄電され及び電気設備３０に使用され、あるいは、人力で電力源セレクタ２０１がｂ経路に従って、使用者が自転車発電機１０２上に乗ってこいで発電させ、市電コンセント１０１が電力供給を回復するまでに、電気設備３０の使用時間を延長させる。
【００１６】
また、使用者が所在する場所の自然力、例えば、風力または日ざしが非常に強ければ、市電コンセント１０１が電力供給を停止する時に、該無停電電源設備２０が蓄電した電量を放出し、電気設備３０が正常に稼働させることができるが、該無停電電源設備２０が所定時間の電量を提供した後に、該市電コンセント１０１がなお電力供給を回復せず、該無停電電源設備２０内に蓄電した電量がそろそろ使い切る時に、該無停電電源設備２０に内蔵した電力源セレクタ２０１は、市電コンセント１０１のａ経路以外のｆ、ｘなどの経路に従って、風力発電機１０６または太陽エネルギー発電機１０７で十分な電力を得て、電気設備３０の使用時間を延長できる。
【００１７】
しかし、前記に開示された構成は、単に本考案の好ましい実施例に過ぎず、本考案の特徴を局限するものではなく、いずれの当該分野における通常の知識を有する専門家が本考案の分野の中で、適当に変換や修飾などを実施できるが、それらの実施のことが本考案の主張範囲内に納入されるべきことは言うまでもないことである。
【００１８】
以上のように、本考案は、電力蓄電設備改良構造を提供し、予期の創作目的を確かに達成でき、実用価値を有し、フルに実用新案の要件を満たすので、法に従って出願を提起するが、ご査察の上、本考案のことを早期に公開されることを、宜しくお願い申し上げたい。
【図面の簡単な説明】
【００１９】
【図１】本考案の実施例を示すブロック図である。
【図２】本考案の実施例の使用ブロック図である。
【符号の説明】
【００２０】
１０    少なくとも２つの電力源
１０１  市電コンセント
１０２  自転車発電機
１０３  ガソリン発電機
１０４  電池発電機
１０５  燃料電池発電機
１０６  風力発電機
１０７  太陽エネルギー発電機
２０    無停電電源設備
２０１  電力源セレクタ
３０    電気設備
【図１】
0003138132.tif 000003
【図２】
0003138132.tif 000004